(57)【特許請求の範囲】
【請求項１】
頭部を含む視覚的刺激を被験者に提示する提示手段と、
前記視覚的刺激を目視する前記被験者の視線に関する第一の視線データを取得する取得手段と、
前記視覚的刺激または他の視覚的刺激を目視する視線提供者の視線に関する第二の視線データを保存する蓄積手段と、
前記第一の視線データと前記第二の視線データとを表示出力する表示手段と、
を有する美容カウンセリングシステム。
【請求項２】
前記被験者に提示される前記視覚的刺激が、前記被験者もしくは他者の頭部を含む静止画像、動画像、鏡像または美容行為の実演である請求項１に記載の美容カウンセリングシステム。
【請求項３】
前記被験者に提示される前記視覚的刺激が、前記被験者の静止画像または動画像であって、
前記表示手段が、第一および第二の前記視線データを、前記視覚的刺激と重ね合わせて表示出力することを特徴とする請求項１に記載の美容カウンセリングシステム。
【請求項４】
前記第二の視線データが、前記被験者に提示される前記視覚的刺激とは異なる他の視覚的刺激を目視する前記視線提供者の視線に関するデータであって、
前記表示手段が、前記被験者に提示される前記視覚的刺激と前記第二の視線データとを合成して表示出力することを特徴とする請求項１から３のいずれか一項に記載の美容カウンセリングシステム。
【請求項５】
前記表示手段が、目視頻度に関する分布図として第一および第二の前記視線データを表示出力する請求項１から４のいずれか一項に記載の美容カウンセリングシステム。
【請求項６】
前記蓄積手段が、頭部をそれぞれ含む複数のサンプル画像と、前記サンプル画像を個別に目視する前記視線提供者の視線に関する前記第二の視線データと、を互いに対応づけて保存している請求項１から５のいずれか一項に記載の美容カウンセリングシステムであって、
前記被験者に提示される前記視覚的刺激との一致度に基づいて、前記サンプル画像を前記複数より抽出する抽出手段をさらに備えるとともに、
前記表示手段が、抽出された前記サンプル画像に対応づけられた前記第二の視線データを表示出力することを特徴とする美容カウンセリングシステム。
【請求項７】
前記蓄積手段と、複数の前記取得手段および前記表示手段と、がネットワークを通じて互いに接続されていることを特徴とする請求項１から６のいずれか一項に記載の美容カウンセリングシステム。
【請求項８】
前記第二の視線データが、美容専門家の視線に関する専門家視線データである請求項６に記載の美容カウンセリングシステム。
【請求項９】
前記美容専門家が、髪型または髪色に関する頭髪専門家と、化粧メイクに関する化粧専門家と、を含み、
前記専門家視線データが、前記頭髪専門家の視線に関するヘア専門家視線データと、前記化粧専門家の視線に関するメイク専門家視線データと、を含む請求項８に記載の美容カウンセリングシステム。
【請求項１０】
前記蓄積手段は、髪型または髪色の一方または両方を互いに変化させた複数の前記サンプル画像と、前記サンプル画像を個別に目視する前記頭髪専門家より取得された前記ヘア専門家視線データを保存し、
前記提示手段は、第一の前記視覚的刺激に続けて、髪型または髪色の一方または両方を変化させた第二の視覚的刺激を前記被験者に提示し、
前記表示手段は、前記被験者より取得した前記第一の視線データと、前記ヘア専門家視線データと、をともに表示出力する請求項９に記載の美容カウンセリングシステム。
【請求項１１】
前記蓄積手段は、化粧メイクを互いに変化させた複数の前記サンプル画像と、前記サンプル画像を個別に目視する前記化粧専門家より取得された前記メイク専門家視線データを保存し、
前記提示手段は、第一の前記視覚的刺激に続けて、化粧メイクを変化させた第二の視覚的刺激を前記被験者に提示し、
前記表示手段は、前記被験者より取得した前記第一の視線データと、前記メイク専門家視線データと、をともに表示出力する請求項９に記載の美容カウンセリングシステム。
【請求項１２】
前記第二の視線データが、著名人の視線に関する著名人視線データである請求項１から７のいずれか一項に記載の美容カウンセリングシステム。
【発明の詳細な説明】
【技術分野】
【０００１】
本発明は、美容カウンセリングシステム、美容カウンセリング方法および美容ポイント分析方法に関する。
【背景技術】
【０００２】
人物を観察する場合、まず着目されるのは顔や髪などの頭部である。しかしながら、自分または他人の頭部に対して観察者の視線がどのように移動するかを客観的に把握することはあまりおこなわれていない。
【０００３】
特に、主として女性が自ら化粧メイクやヘアメイクなどの美容行為をおこなう場合には、他人の視線を意識してこれをおこなうことが望まれるところ、メイクの方法が正しいのか、その結果が自分に本当に似合っているのか不安を感じることがある。
化粧メイクの場合には化粧品売り場のビューティーアドバイザーと対面しながら自分に合ったメイク方法のアドバイスを受けることができる。しかしながら、受けられるアドバイスは、そのアドバイザーの主観や特有の経験によるメイク方法であったり、その化粧品会社特有のメイク方法であったりするため、女性の不安を解消できない場合がある。
ヘアメイクの場合も同様に、美容室の美容師のヘアメイクに対して、自分に本当に似合っているかという女性の不安を解消できない場合があった。
【０００４】
これに対し、ユーザの顔画像に化粧見本やアドバイスを重畳表示することで、ユーザが化粧の修正や変更の指示を受けながら一人で化粧することを容易にする化粧支援装置が提案されている（特許文献１を参照）。特許文献２については後述する。
【先行技術文献】
【特許文献】
【０００５】
【特許文献１】特開２００１−２１６３８６号公報
【特許文献２】特開２００８−３７２４号公報
【発明の概要】
【発明が解決しようとする課題】
【０００６】
しかしながら、特許文献１の化粧支援装置を用いたとしても、化粧見本どおりにユーザが化粧を自ら再現することはきわめて困難であり、結局のところ、自分に似合った化粧が行われたかどうかの不安を払拭することはできない。
【０００７】
本発明は上述の課題に鑑みてなされたものであり、美容に関する説得力のある情報をユーザに与え、美容行為を行うユーザの不安を解消することのできる美容カウンセリングシステムおよび美容カウンセリング方法、ならびにかかる情報を与えるためのポイントとなるデータを取得して分析する美容ポイント分析方法を提供するものである。
【課題を解決するための手段】
【０００８】
本発明の美容カウンセリングシステムは、頭部を含む視覚的刺激を被験者に提示する提示手段と、前記視覚的刺激を目視する前記被験者の視線に関する第一の視線データを取得する取得手段と、前記視覚的刺激または他の視覚的刺激を目視する視線提供者の視線に関する第二の視線データを保存する蓄積手段と、前記第一の視線データと前記第二の視線データとを表示出力する表示手段と、を有する。
【０００９】
本発明の美容カウンセリング方法は、頭部を含む視覚的刺激を被験者に提示する工程と、前記視覚的刺激を目視する前記被験者の視線に関する第一の視線データを取得する工程と、前記視覚的刺激または他の視覚的刺激を目視する視線提供者の視線に関する第二の視線データと、前記第一の視線データと、を表示出力する工程と、を含む。
【００１０】
ここで、美容カウンセリングとは、美容に関するアドバイスをカウンセラーが被カウンセラーに与えることのほか、美容カウンセリングシステムからの情報に基づいて被カウンセラーが自ら美容行為に関する知見を得る（いわゆるセルフカウンセリングをおこなう）ことをいう。したがって、美容カウンセリングは、美容アドバイスを含む。
そして、美容カウンセリングシステムとは、ユーザに対して美容カウンセリングを提供するシステムであり、美容アドバイスシステムを含む。美容カウンセリングシステムのユーザが被カウンセラーにあたる。
【００１１】
本発明の美容ポイント分析方法は、頭部を含む視覚的刺激を被験者に提示する工程と、前記視覚的刺激を目視する前記被験者の視線に関する第一の視線データを取得する工程と、前記視覚的刺激または他の視覚的刺激を目視する視線提供者の視線に関する第二の視線データを、前記第一の視線データと対応づけて取得する工程と、を含む。
【００１２】
なお、本発明の美容カウンセリングシステムの各種の構成要素は、個々に独立した存在である必要はなく、複数の構成要素が一個の装置として形成されていること、一つの構成要素が複数の装置で形成されていること、ある構成要素が他の構成要素の一部であること、ある構成要素の一部と他の構成要素の一部とが重複していること、等でもよい。
【００１３】
また、本発明の美容カウンセリング方法および美容ポイント分析方法は、複数の工程を順番に記載してあるが、その記載の順番は複数の工程を実行する順番を必ずしも限定するものではない。このため、本発明の方法を実施するときには、その複数の工程の順番は内容的に支障のない範囲で変更することができる。
さらに、本発明の美容カウンセリング方法および美容ポイント分析方法は、複数の工程が個々に相違するタイミングで実行されることに限定されず、ある工程の実行中に他の工程が発生することや、ある工程の実行タイミングと他の工程の実行タイミングとの一部ないし全部が重複することを含む。
【発明の効果】
【００１４】
本発明の美容カウンセリングシステムおよび美容カウンセリング方法によれば、視覚的刺激に対する被験者の視線データと他の視線データとを表示出力することができる。これにより、美容に関する似合いの判断を被カウンセラーがおこなうに際して、頭部に対する被験者の着目点を客観的に把握することができる。このため、被カウンセラーは美容行為の妥当性について説得力が得られ、美容行為を行う際の不安が解消される。また、本発明の美容ポイント分析方法によれば、被カウンセラーにこの種の情報を提供するための視線データを取得することができる。
【図面の簡単な説明】
【００１５】
【図１】第一実施形態にかかる美容カウンセリングシステムの構成図である。
【図２】第一実施形態にかかる美容カウンセリングシステムの機能ブロック図である。
【図３】第一実施形態にかかる美容カウンセリング方法のフローチャートである。
【図４】第二実施形態にかかる美容カウンセリングシステムの構成図である。
【図５】第一実施例で用いた第一の視覚的刺激を示す図である。
【図６】第一実施例で用いた第二の視覚的刺激を示す図である。
【図７】第一実施例で用いた第三の視覚的刺激を示す図である。
【図８】第一実施例で用いた第四の視覚的刺激を示す図である。
【図９】第一の視覚的刺激に対するヘア専門家視線データを示す図である。
【図１０】第二の視覚的刺激に対するヘア専門家視線データを示す図である。
【図１１】第三の視覚的刺激に対するヘア専門家視線データを示す図である。
【図１２】第四の視覚的刺激に対するヘア専門家視線データを示す図である。
【図１３】第一の視覚的刺激に対する被験者の視線データを示す図である。
【図１４】第二の視覚的刺激に対する被験者の視線データを示す図である。
【図１５】第三の視覚的刺激に対する被験者の視線データを示す図である。
【図１６】第四の視覚的刺激に対する被験者の視線データを示す図である。
【図１７】第一の視覚的刺激に対するメイク専門家視線データを示す図である。
【図１８】第二の視覚的刺激に対するメイク専門家視線データを示す図である。
【図１９】第三の視覚的刺激に対するメイク専門家視線データを示す図である。
【図２０】第四の視覚的刺激に対するメイク専門家視線データを示す図である。
【図２１】第二実施例のメイク専門家視線データ（似合い判断）を示す図である。
【図２２】第二実施例のメイク専門家視線データ（不似合い判断）を示す図である。
【図２３】第二実施例の被験者の視線データ（似合い判断）を示す図である。
【図２４】第二実施例の被験者の視線データ（不似合い判断）を示す図である。
【図２５】第二実施例のヘア専門家視線データ（似合い判断）を示す図である。
【図２６】第二実施例のヘア専門家視線データ（不似合い判断）を示す図である。
【発明を実施するための形態】
【００１６】
以下、本発明の実施形態を図面に基づいて説明する。尚、すべての図面において、同様な構成要素には同様の符号を付し、適宜説明を省略する。
【００１７】
＜第一実施形態＞
（美容カウンセリングシステム）
図１は、本発明の第一の実施形態にかかる美容カウンセリングシステム１００の一例を示す構成図である。
図２は、本実施形態の美容カウンセリングシステム１００の機能ブロック図である。
【００１８】
はじめに、本実施形態の美容カウンセリングシステム１００の概要について説明する。
本実施形態の美容カウンセリングシステム１００は、提示部（画像提示部１０）と、取得部（視線取得部２０）と、蓄積部３０と、表示部４０とを有する。
画像提示部１０は、頭部６０を含む視覚的刺激５０を被験者Ｓ１に提示する。ここで、頭部とは、髪部および顔部のそれぞれ少なくとも一部を含む領域である。
視線取得部２０は、視覚的刺激５０を目視する被験者Ｓ１の視線に関する第一の視線データＤ１を取得する。
蓄積部３０は、被験者Ｓ１に提示される視覚的刺激５０または他の視覚的刺激を目視する視線提供者（ＳＰ、ＣＥ）の視線に関する第二の視線データＤ２を保存する
表示部４０は、第一の視線データＤ１と第二の視線データＤ２とをともに表示出力する。
【００１９】
ここで、美容カウンセリングシステム１００の各種の構成要素は、その機能を実現するように形成されていればよく、たとえば、所定の機能を発揮する専用のハードウェア、所定の機能がコンピュータプログラムにより付与された処理装置（データ処理装置または画像処理装置）、コンピュータプログラムにより処理装置に実現された所定の機能、これらの任意の組み合わせ、等として実現することができる。
また、美容カウンセリングシステム１００の各種の構成要素は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
なお、美容カウンセリングシステム１００においてコンピュータプログラムに対応した各種動作を処理装置に実行させるとは、各種デバイスを処理装置に動作制御させることを含む。
また、本実施形態において蓄積部３０が視線データを保存するとは、蓄積部３０が少なくとも視線データを記憶する機能を有することを意味している。このため、蓄積部３０は、視線提供者の視線データが新規に登録されることのほか、蓄積部３０の製造時に登録された視線データを保持して出荷後には新規の視線データが登録されないことも許容する。
一方、蓄積部３０が視線提供者の視線データを保存しているとは、本実施形態の美容カウンセリングシステム１００が、少なくとも被験者により使用されるときに視線提供者の視線データを記憶している状態となる機能を有することを意味している。このため、蓄積部３０がサプライヤから出荷される時点で視線提供者の視線データが登録されていることのほか、出荷されるときには登録されていない視線提供者の視線データが、被験者に使用されるまでに登録されることも許容する。
【００２０】
本実施形態の美容カウンセリングシステム１００は、画像提示部１０、視線取得部２０、蓄積部３０、表示部４０、および後述する撮影部１２が、バスライン８０に接続されている。
また、図１に示すように、バスライン８０には、美容カウンセリングシステム１００に対する各種操作を受け付ける操作部７２と、視線データＤ１、Ｄ２や視覚的刺激５０のデータ処理を実行するＣＰＵ７０とが接続されている。
【００２１】
次に、図１および図２を用いて本実施形態の美容カウンセリングシステム１００を詳細に説明する。
【００２２】
なお、第一の視線データＤ１が取得される被験者と、被カウンセラーとは共通であってもよく、または異なってもよい。また、被験者Ｓ１は、美容に関する素人であってもよく、美容専門家であってもよい。本実施形態では、美容カウンセリングシステム１００のユーザ（被カウンセラー）と被験者Ｓ１とを同一とする。したがって、本実施形態の場合、視線取得部２０で取得される第一の視線データＤ１は、ユーザの視線を示すデータとなる。なお、被カウンセラーと被験者Ｓ１とが異なる場合については後述する。
【００２３】
一方、蓄積部３０に予め保存された第二の視線データＤ２は、美容専門家ＳＰまたは著名人ＣＥの視線を示すデータである。ここで、著名人とは、美容分野に限らず、芸能人や文化人など各種分野における有名人である。このほか、第二の視線データＤ２として、被験者Ｓと異なる性別の者（異性）の視線を示すデータを用いてもよい。また、美容専門家ＳＰ、著名人ＣＥまたは異性のいずれか二以上は、重複する者であってもよい。
本実施形態の美容カウンセリングシステム１００は、ユーザ（被験者Ｓ１）自らの操作、またはアドバイザーの操作によって、ユーザの第一の視線データＤ１と、美容専門家ＳＰまたは著名人ＣＥの第二の視線データＤ２とを、視覚的刺激５０とともに表示出力する。これにより、アドバイザーは、表示部４０を目視するユーザに対して美容アドバイスを提供することができる。
【００２４】
被験者Ｓ１に提示される視覚的刺激５０は、被験者Ｓ１もしくは他者の頭部６０を含む静止画像、動画像、鏡像または美容行為の実演である。
【００２５】
提示部は、視覚的刺激５０を被験者Ｓ１に提示する手段である。具体的には、視覚的刺激５０が画像（静止画像または動画像）である場合、提示部としては液晶表示装置などのディスプレイ装置（画像提示部１０）を用いることができる。
視覚的刺激５０が被験者Ｓ１の鏡像の場合は、提示部に鏡を用いることができる。そして、美容専門家によって被験者Ｓ１の頭や顔に対するヘアメイクや化粧メイクを行う様子を、鏡像として被験者Ｓ１は目視することができる。
また、美容行為の実演としては、モデルの頭や顔に対するヘアメイクや化粧メイクを例示することができる。そして、視覚的刺激５０が美容行為の実演の場合、提示部には、モデルを含む実態物を用いることができる。
また、鏡像や実演を視覚的刺激５０とする場合、ヘアメイクや化粧メイクに代えて、またはこれらに加えて、着衣やアクセサリーを交換してもよい。
このように、鏡や実演を視覚的刺激５０とすることで、被験者Ｓ１が現実に美容行為を自ら行う状況を模した視線データを取得することができる。
【００２６】
このうち、本実施形態では、画像提示部１０が被験者Ｓ１に提示する視覚的刺激５０として、被験者Ｓ１自身の静止画像または動画像（以下、被験者画像という場合がある）を用いるものとする。
より具体的には、図１、図２に示す本実施形態の画像提示部１０は、撮影部１２で撮像した被験者Ｓ１の頭部画像を視覚的刺激５０として被験者Ｓ１に表示する。
頭部画像とは、髪部および顔部のそれぞれ少なくとも一部を含む頭部が撮像された画像である。頭部に加えて、被験者Ｓ１の上半身や下半身、胴部や衣服、装飾品などが撮像されていてもよい。すなわち、本実施形態にいう頭部画像は全身画像を含む。そして、頭部を含む視覚的刺激は、全身の静止画像、動画像もしくは鏡像、または美容行為の全身実演を含む。
【００２７】
そして、異なる被験者Ｓ２、Ｓ３、・・・（図１、２には図示せず、図４に図示）に対しては、それぞれ被験者Ｓ２、Ｓ３、・・・の頭部画像を画像提示部１０は表示する。
すなわち、提示部（画像提示部１０）において被験者Ｓ１に提示される視覚的刺激５０と、被験者Ｓ２、Ｓ３、・・・に提示される視覚的刺激５０とは相違するものであってもよい。例として、提示部は、被験者Ｓ１には被験者Ｓ１自身の画像や鏡像を提示し、被験者Ｓ２、Ｓ３、・・・には他の画像、鏡像または実演を提示してもよい。ただし本発明においては、被験者Ｓ１、Ｓ２、Ｓ３、・・・に対して同一の視覚的刺激５０を提示してもよい。
【００２８】
視線取得部２０は、視覚的刺激５０を目視する被験者Ｓ１の視線方向（視点位置）を示す第一の視線データＤ１を取得する眼検知装置（アイカメラ）である。
視線取得部２０は、画像提示部１０に正対する被験者Ｓ１に対向して配置され、被験者Ｓ１の頭部に向かって赤外線などの光ビームを照射するとともに、その反射光を受光する。視線取得部２０は、受光光を画像化し、画素のコントラストに基づいて瞳孔位置を算出することで、被験者Ｓ１の目の位置を検出してその視線方向を数値データまたは画像データとして取得する。
本実施形態の視線取得部２０は、赤外線ダイオードを用いて被験者Ｓ１に光ビームを照射する。光ビームの強度は、被験者Ｓ１による視覚的刺激５０の自然な目視を妨げない程度に抑制されている。
【００２９】
ここで、被験者Ｓ１に代えて、視線提供者である美容専門家ＳＰや著名人ＣＥを美容カウンセリングシステム１００に適用することにより、視線取得部２０は第二の視線データＤ２を取得することができる。
すなわち、美容カウンセリングシステム１００の蓄積部３０には、視線提供者の目の位置および凝視方向を視線取得部２０で検知してデータ取得した、視線提供者の視線方向（視点位置）を示す視線データが、第二の視線データＤ２として記憶されている。
【００３０】
視線取得部２０が取得する具体的な視線データＤ１、Ｄ２は特に限定されない。たとえば、視覚的刺激５０に対する視線提供者の視線の初期位置データのほか、視覚的刺激５０に対してどの位置に視線提供者の視線が集中したかを示す視線の頻度データを視線取得部２０は取得してもよい。視線の頻度データは、たとえば、視覚的刺激５０を複数の領域に分割して、各領域を視線が通過した回数をカウントして求めることができる。
【００３１】
本実施形態の視線取得部２０は、光ビームの照射および受光と、画像処理による視線データＤ１、Ｄ２の取得を連続的におこなう。そして、視線取得部２０は、視線データＤ１、Ｄ２として、視覚的刺激５０に対する視線提供者の目視位置の時刻歴データを取得する。
このように、視線提供者の目線を視線取得部２０で追跡して、視線データＤ１、Ｄ２を時刻歴データとして取得することにより、視線提供者の視線の初期位置データや、目視位置の頻度データなど、多様なデータを取得することができる。
【００３２】
蓄積部３０は、画像蓄積部３１と視線データ蓄積部３２とからなる。
蓄積部３０は、頭部６０をそれぞれ含む複数のサンプル画像５５と、サンプル画像５５を個別に目視する視線提供者（美容専門家ＳＰまたは著名人ＣＥ）の視線に関する第二の視線データＤ２（専門家視線データＤＳまたは著名人視線データＤＣ）と、を互いに対応づけて保存している。
【００３３】
第二の視線データＤ２は、被験者Ｓ１に提示される視覚的刺激５０（被験者画像）とは異なる他の視覚的刺激を目視する視線提供者の視線に関するデータである。そして、本実施形態の表示部４０は、被験者Ｓ１に提示される視覚的刺激５０（被験者画像）と第二の視線データＤ２とを合成して表示出力する。
【００３４】
具体的には、画像蓄積部３１には複数のサンプル画像５５がライブラリとして保存されている。サンプル画像５５は、美容専門家ＳＰや著名人ＣＥに対して表示される視覚的刺激である。
視線データ蓄積部３２には、画像提示部１０で視覚的刺激として表示されたサンプル画像５５を目視する美容専門家ＳＰや著名人ＣＥの視線に関する専門家視線データＤＳや著名人視線データＤＣが、第二の視線データＤ２として保存されている。
【００３５】
サンプル画像５５は、複数のカテゴリに分類されて画像蓄積部３１に保存されている。
サンプル画像５５の分類は種々の観点でおこなうことができるが、たとえば、髪型のボリューム感の分布の特徴、顔型、顔パーツの相対位置、肌色の分類、虹彩色の分類、年齢などの観点で分類することができる。
髪型のボリューム感の分布とは、たとえば、正面頭部画像において、水平線を二段に引き、上側の水平線より上部における毛髪領域の面積（髪トップ面積）と、上下の水平線の間における毛髪領域の面積（髪ミドル面積）と、下側の水平線より下部における毛髪領域の面積（髪ボトム面積）との比率をいう。かかる比率の大小によってサンプル画像５５を複数のカテゴリに分類することができる。
顔型とは、丸顔、四角顔、三角顔、面長顔、卵顔などに分類される顔の外形形状である。
顔パーツの相対位置とは、顔における髪、眉、目、鼻、口、耳などの部位の相対的な位置関係をいう。かかる相対位置が互いに類似する顔のサンプル画像５５を同一のカテゴリに分類することができる。
肌色の分類とは、黄味か青味か、暖色か寒色か、などの分類である。
虹彩色の分類とは、濃褐色、淡褐色、琥珀色、緑色、灰色、青色などの分類である。
【００３６】
画像提示部１０は、美容専門家ＳＰや著名人ＣＥに対して、視覚的刺激５０としてサンプル画像５５を提示する。
視線取得部２０は画像提示部１０の近傍に設置され、サンプル画像５５を目視する美容専門家ＳＰや著名人ＣＥの視線に関する専門家視線データＤＳや著名人視線データＤＣを取得する。
そして、ＣＰＵ７０は、視線取得部２０が取得した専門家視線データＤＳや著名人視線データＤＣを、第二の視線データＤ２として視線データ蓄積部３２に格納する。
【００３７】
本実施形態では、第二の視線データＤ２は、各サンプル画像５５における部位ごとの目視頻度を示す分布図の画像データであるコンター（等値線）データとして、視線データ蓄積部３２に蓄積される。
【００３８】
また、本実施形態では、美容専門家ＳＰは、髪型または髪色に関する頭髪専門家ＳＰＨと、化粧メイクに関する化粧専門家ＳＰＭと、を含む。そして、専門家視線データＤＳは、頭髪専門家ＳＰＨの視線に関するヘア専門家視線データＤＳＨと、化粧専門家ＳＰＭの視線に関するメイク専門家視線データＤＳＭと、を含んでいる。
なお、髪型または髪色と化粧メイクとの両方に精通した専門家の場合、頭髪専門家ＳＰＨと化粧専門家ＳＰＭとは同一人でもよい。言い換えると、ヘア専門家視線データＤＳＨとメイク専門家視線データＤＳＭとは、同一人の視線に関する視線データでもよい。
【００３９】
そして、視線データ蓄積部３２に格納される第二の視線データＤ２には、頭髪専門家ＳＰＨ、化粧専門家ＳＰＭ、または著名人ＣＥのいずれの視線データであるかを示す目視者識別情報と、目視された視覚的刺激５０（サンプル画像５５）を示すサンプル識別情報と、がヘッダー情報として付されている。
【００４０】
サンプル画像５５は、分類された各カテゴリより少なくとも一枚が、画像提示部１０にて視線提供者に順次提示される。
視線データ蓄積部３２には、これら複数枚のサンプル画像５５の個々に対するヘア専門家視線データＤＳＨ、メイク専門家視線データＤＳＭおよび著名人視線データＤＣが記憶されている。
【００４１】
また、シミュレーション部１４（図２を参照）は、各サンプル画像５５を画像処理して、その髪型、髪色、化粧メイクのいずれか一以上を複数通りに変化させる。かかる複数通りのサンプル画像５５は、美容専門家ＳＰや著名人ＣＥに対して画像提示部１０で順次提示される。
シミュレーション部１４が行う、サンプル画像５５に含まれる頭部６０の髪型を変更するヘアスタイルシミュレーション、その髪色を変更するヘアカラーシミュレーション、および頭部６０の顔面部分に化粧を施すメイクアップシミュレーションは、具体的には、上記の特許文献２に記載の画像処理方法を用いておこなうことができる。
そして、視線データ蓄積部３２には、髪型、髪色および／または化粧メイクを変化させたサンプル画像５５について、それぞれヘア専門家視線データＤＳＨ、メイク専門家視線データＤＳＭおよび著名人視線データＤＣが関連づけて記憶されている。
【００４２】
図２に示すように、本実施形態の美容カウンセリングシステム１００は、複数枚のサンプル画像５５のうち、被験者画像との一致度の高いものを抽出する。そして、抽出された当該サンプル画像５５に対する視線提供者の視線データを、視線データ蓄積部３２より呼び出して表示出力する。すなわち、本実施形態の美容カウンセリングシステム１００は、被験者Ｓ１に提示される視覚的刺激５０（被験者画像）とサンプル画像５５との一致度に基づいて、サンプル画像５５を複数枚より抽出する抽出部７４をさらに備えている。そして、表示部４０は、抽出されたサンプル画像５５に対応づけられた第二の視線データＤ２（ヘア専門家視線データＤＳＨ、メイク専門家視線データＤＳＭまたは著名人視線データＤＣ）を表示出力する。
これにより、被験者Ｓ１は、美容専門家ＳＰまたは著名人ＣＥが被験者Ｓ１を目視した場合に想定される視線を把握することができる。
なお、抽出部７４における被験者画像とサンプル画像５５との一致度の判断方法は特に限られない。たとえば後述するように、複数の項目に関するスコアを被験者画像とサンプル画像５５とにそれぞれ付与し、スコアの傾向の類似性によって、画像同士の一致度を判断することができる。
【００４３】
表示部４０は、第一の視線データＤ１と第二の視線データＤ２とをともに表示出力する。第一の視線データＤ１と第二の視線データＤ２とは同時に表示出力されてもよく、時間的に相前後して表示出力されてもよい。
【００４４】
本実施形態の表示部４０は、第一の視線データＤ１および第二の視線データＤ２を、被験者Ｓ１に提示した視覚的刺激５０と重ね合わせて表示出力する。
ここで、表示部４０は、第一の視線データＤ１および第二の視線データＤ２に関する画像データと被験者画像とをそれぞれ重畳して表示してもよく、第一の視線データＤ１または第二の視線データＤ２と被験者画像のデータとを画像合成した新たな画像データを表示出力してもよい。
このほか、積層された二枚のディスプレイで表示部４０を構成するとともに、その少なくとも一方を透明ディスプレイとしてもよい。具体的には、被験者画像を表示するディスプレイの前面に重ねて、第一の視線データＤ１または第二の視線データＤ２を表示する透明な有機ＥＬ（Electro-Luminescence）ディスプレイを設置してもよい。これにより、被験者Ｓ１は第一の視線データＤ１または第二の視線データＤ２と被験者画像とを重ね合わせて目視することができる。
【００４５】
ここで、本実施形態の表示部４０は、第一の視線データＤ１および第二の視線データＤ２（専門家視線データＤＳまたは著名人視線データＤＣ）を、視覚的刺激５０に対する目視頻度に関する分布図として表示出力する。
これにより、被験者Ｓ１は、美容専門家ＳＰまたは著名人ＣＥが被験者Ｓ１の髪型、髪色および／または化粧メイクの似合いを判断するにあたってどの部位に着目するかを客観的に知得することができる。このため、被験者Ｓ１は、自らが行う美容行為における似合いの判断ポイントの妥当性について不安を解消することができる。
【００４６】
なお、本実施形態において表示部４０が視線データ（第一の視線データＤ１、第二の視線データＤ２）を表示出力するとは、視線取得部２０で取得された視線データを任意で画像処理またはデータ処理して表示出力することを含む。
また、第一の視線データＤ１または第二の視線データＤ２が重畳されて表示部４０で表示出力される被験者画像には、画像提示部１０で被験者Ｓ１に提示された視覚的刺激５０に対して任意で画像処理を施したものを用いることができる。具体的には、画像提示部１０で被験者Ｓ１に提示される被験者画像（元画像）には比較的明度や彩度の高い画像を用いるとよい。そして、表示部４０で出力される被験者画像には、重畳される第一の視線データＤ１または第二の視線データＤ２の画像データが鮮明に目視できるよう、元画像よりも明度や彩度を低下させたものを用いるとよい。
【００４７】
（美容カウンセリング方法）
図３は、本実施形態の美容カウンセリングシステム１００を用いておこなう美容カウンセリング方法（以下、本方法という場合がある）のフローチャートである。図１〜図３を用いて本方法を説明する。
【００４８】
本方法は、提示工程Ｓ２２と視線追跡工程Ｓ２４と表示工程Ｓ４６と、を含む。
提示工程Ｓ２２は、頭部を含む視覚的刺激５０を被験者Ｓ１に提示する工程である。
視線追跡工程Ｓ２４は、視覚的刺激５０を目視する被験者Ｓ１の視線に関する第一の視線データＤ１を取得する工程である。
表示工程Ｓ４６は、被験者Ｓ１に提示される視覚的刺激５０または他の視覚的刺激を目視する視線提供者の視線に関する第二の視線データＤ２と、第一の視線データＤ１と、を表示出力する工程である。
【００４９】
本方法で被験者Ｓ１に提示される視覚的刺激５０は、被験者Ｓ１の頭部を含む静止画像または動画像（被験者画像）である。そして、表示工程Ｓ４６では、第一の視線データＤ１および第二の視線データＤ２を、それぞれ視覚的刺激５０（被験者画像）に重ね合わせて表示出力する。
【００５０】
以下、図１から３を用いて本方法をより詳細に説明する。
本方法では、被験者Ｓ１の視線に関する視線データ（第一の視線データＤ１）を被験者Ｓ１に対して表示出力して、当該被験者Ｓ１を被カウンセラーとして美容カウンセリングを提供する場合を例にして、まず以下の説明をおこなう。ただし、本発明はこれに限るものではなく、被験者と視線提供者と被カウンセラーとを種々に選択することで特有の効果が発揮されることを後述する。
【００５１】
本方法では、まず、視線提供者より第二の視線データＤ２を取得して、これを蓄積部３０に蓄積する予備取得工程を行う。
【００５２】
予備取得工程は、刺激取得工程Ｓ１０と取得工程Ｓ２０とからなる。
刺激取得工程Ｓ１０では、頭部６０を含むサンプル画像５５を、視線提供者である頭髪専門家ＳＰＨ、化粧専門家ＳＰＭまたは著名人ＣＥに提示する。
具体的には、美容カウンセリングシステム１００のＣＰＵ７０は、画像蓄積部３１に保存された一枚または複数枚のサンプル画像５５を呼び出す。
【００５３】
予備取得工程では、被験者Ｓ１に提示される視覚的刺激５０（被験者画像）とは異なる他の視覚的刺激（サンプル画像５５）を目視する視線提供者の視線に関する第二の視線データＤ２を取得する。
【００５４】
取得工程Ｓ２０では、ＣＰＵ７０は、画像蓄積部３１から呼び出されたサンプル画像５５を、画像提示部１０にて視覚的刺激として表示出力させる（提示工程Ｓ２２）。
頭髪専門家ＳＰＨ、化粧専門家ＳＰＭまたは著名人ＣＥは、視覚的刺激５０を目視して、サンプル画像５５にかかる人物の髪型、髪色または化粧メイクの似合いを判断する。
視線取得部２０は、サンプル画像５５を目視する視線提供者の視線に関する第二の視線データＤ２を所定時間に亘って取得する（視線追跡工程Ｓ２４）。
視線取得部２０は、取得した第二の視線データＤ２を蓄積部３０の視線データ蓄積部３２に保存する。
【００５５】
つぎに、視線提供者に提示されるサンプル画像５５を切り替える場合（Ｓ２６：Ｙ）には、その髪型、髪色および／または化粧メイクを変化させる画像処理がシミュレーション部１４（ＣＰＵ７０）で行われる（シミュレーション工程Ｓ２８）。
画像処理が施されたサンプル画像５５は、画像提示部１０にて繰り返し表示出力される（提示工程Ｓ２２）。
提示工程Ｓ２２および視線追跡工程Ｓ２４が所定回数に亘って繰り返され、十分な量の第二の視線データＤ２が蓄積されたところで、取得工程Ｓ２０は終了する（Ｓ２６：Ｎ）。
また、本方法では、視線提供者に対しては美容アドバイスを行わず（Ｓ３０：Ｎ）、一連の処理を終了する。
【００５６】
本方法では、髪型、髪色または化粧メイクを変化させたサンプル画像５５に対してヘア専門家視線データＤＳＨ、メイク専門家視線データＤＳＭおよび著名人視線データＤＣをそれぞれ取得する。これにより、サンプル画像５５にかかる人物が髪型、髪色または化粧メイクを変化させた場合に美容専門家ＳＰや著名人ＣＥが着目する似合いの判断ポイントが多様に蓄積され、ひいては被験者Ｓ１に対する豊富なアドバイスが可能となる。
【００５７】
つぎに、本実施形態の美容カウンセリングシステム１００を用いて被験者Ｓ１に美容アドバイスを行う方法を説明する。
刺激取得工程Ｓ１０では、まず、デジタルカメラなどの撮影部１２にて被験者Ｓ１の頭部画像（被験者画像）を撮影する。ただし、刺激取得工程Ｓ１０では、予め撮影された被験者画像のデータを画像蓄積部３１に格納してもよい。
【００５８】
撮影された被験者画像は、画像蓄積部３１に保存されるとともに、画像提示部１０で視覚的刺激５０として表示出力される（提示工程Ｓ２２）。
被験者Ｓ１は、画像提示部１０で表示出力されている視覚的刺激５０を目視して、髪型、髪色または化粧メイクの似合いを判断する。
視線追跡工程Ｓ２４では、かかる被験者Ｓ１の視線を示す第一の視線データＤ１を、視線取得部２０で取得する。
取得された第一の視線データＤ１は、被験者画像における部位ごとの目視頻度を示す分布図の画像データ（コンターデータ）として、視線データ蓄積部３２に蓄積される。
【００５９】
被験者画像と、被験者Ｓ１の第一の視線データＤ１には、それぞれ被験者Ｓ１を識別する個人ＩＤが付されて画像蓄積部３１と視線データ蓄積部３２に蓄積される。
【００６０】
つぎに、被験者Ｓ１に提示される視覚的刺激５０（被験者画像）を切り替える場合（Ｓ２６：Ｙ）には、画像蓄積部３１に保存された被験者画像に対してその髪型、髪色および／または化粧メイクを変化させる画像処理を行う（シミュレーション工程Ｓ２８）。かかる画像処理は、シミュレーション部１４（ＣＰＵ７０）により行われる。
髪型、髪色および／または化粧メイクが変化した被験者画像は、新たな視覚的刺激５０として、順次、画像提示部１０で表示出力される（提示工程Ｓ２２）。
所定回数に亘って提示工程Ｓ２２と視線追跡工程Ｓ２４とが繰り返されたところで（Ｓ２６：Ｎ）、取得工程Ｓ２０は終了する。
【００６１】
そして、本方法では、被験者Ｓ１に対してアドバイスを行う（Ｓ３０：Ｙ）ための出力工程Ｓ４０が行われる。
【００６２】
まず、出力工程Ｓ４０では、画像蓄積部３１にライブラリとして保存されたサンプル画像５５より、被験者画像に類似しているものを抽出部７４（図２を参照）により抽出する（抽出工程Ｓ４２）。
抽出工程Ｓ４２は、具体的にはＣＰＵ７０によるサンプル画像５５の検索処理によって行われる。
上述のように、画像蓄積部３１に記憶されているサンプル画像５５は、複数のカテゴリに分類されている。抽出工程Ｓ４２の一例として、ＣＰＵ７０は、被験者画像をサンプル画像５５と同様にカテゴリ分類し、被験者画像と同一カテゴリに分類されているサンプル画像５５を選択する。
このほか、抽出工程Ｓ４２では、ＣＰＵ７０は、髪型のボリューム感の分布の特徴、顔型、顔パーツの相対位置などの観点から、被験者画像ともっとも類似度の高いサンプル画像５５を検索してもよい。
【００６３】
被験者画像に対応するサンプル画像５５が画像蓄積部３１から抽出されると、ＣＰＵ７０は、当該サンプル画像５５に対応づけられた第二の視線データＤ２を、視線データ蓄積部３２より呼び出す。具体的には、ＣＰＵ７０は、画像データとして記憶されている第二の視線データＤ２のヘッダー情報に基づいて、抽出工程Ｓ４２で抽出されたサンプル画像５５に対応する第二の視線データＤ２を検索する。
【００６４】
つぎに、美容カウンセリングシステム１００では画像合成工程Ｓ４４を行う。画像合成工程Ｓ４４では、まず、画像調整部７６（図２を参照）にて、第二の視線データＤ２を被験者画像に重ね合わせるためのサイズ調整と位置合わせを行う。
具体的には、ＣＰＵ７０は、第二の視線データＤ２に対応づけられたサンプル画像５５と被験者画像とにそれぞれ含まれる頭部６０のサイズを正規化する。正規化の基準としては、たとえば、両目の中心を結んだライン上での顔幅を採ればよい。正規化によりサイズ調整したそれぞれの画像は、たとえば、上記両目の中心を結んだラインと両目の中間点が重なるように位置合わせを行う。
これにより、美容専門家ＳＰや著名人ＣＥに提示したサンプル画像５５と被験者画像とが異なるものであっても、専門家視線データＤＳや著名人視線データＤＣを被験者画像に重ね合わせて表示出力することが可能となる。すなわち、美容専門家ＳＰや著名人ＣＥの視線データＤ２を有限枚のサンプル画像５５に対して取得しておくだけで、不特定の被験者Ｓ１、Ｓ２、Ｓ３、・・・の被験者画像に対して視線データＤ２を重ね合わせて表示部４０で表示することができる。
【００６５】
つぎに、画像合成工程Ｓ４４では、被験者Ｓ１に提示される視覚的刺激５０（被験者画像）と第二の視線データＤ２とを合成する。
また、画像合成工程Ｓ４４では、第一の視線データＤ１と視覚的刺激５０（被験者画像）とを合成する。
ＣＰＵ７０は、第一の視線データＤ１および第二の視線データＤ２が合成された視覚的刺激５０を画像蓄積部３１に格納する。
なお、第一の視線データＤ１と第二の視線データＤ２は、被験者画像に対して個別に合成してもよく、または共通の視覚的刺激５０に対して第一の視線データＤ１および第二の視線データＤ２をともに合成してもよい。
【００６６】
表示工程Ｓ４６では、表示部４０は、第一の視線データＤ１および第二の視線データＤ２が合成された視覚的刺激５０（被験者画像）を表示出力する。すなわち、本方法では、第一の視線データＤ１および第二の視線データＤ２を、それぞれ視覚的刺激５０に重ね合わせて表示出力する。
【００６７】
なお、第一の視線データＤ１の表示出力と、第二の視線データＤ２の表示出力とは、同時におこなってもよく、または異なるタイミングでおこなってもよい。また、これらは異なる表示部４０で表示出力してもよい。
【００６８】
本方法では、第一の視線データＤ１と第二の視線データＤ２とを、被験者Ｓ１に対してともに表示出力する場合を例示する。
【００６９】
第一の視線データＤ１および第二の視線データＤ２が合成された視覚的刺激５０（被験者画像）には被験者を特定する個人ＩＤがデータ付与されている。操作部７２（図１を参照）を用いて被験者Ｓ１の個人ＩＤをキー入力することで、画像蓄積部３１から視覚的刺激５０を呼び出して表示部４０で出力することができる。
【００７０】
アドバイザーと被験者Ｓ１は、かかる表示部４０を目視して、被験者Ｓ１の視線と美容専門家ＳＰや著名人ＣＥの視線とを対照し、一連の処理を終了する。
【００７１】
より具体的には、本方法は、表示出力された第一の視線データＤ１と第二の視線データＤ２との相違に基づく美容アドバイスを被カウンセラーに提供する工程をさらに含んでもよい。すなわち、表示部４０を目視した被カウンセラーは、美容に関するセルフカウンセリングをおこなってもよく、または表示部４０を目視した美容専門家ＳＰが被カウンセラーに美容アドバイスを与えてもよい。
【００７２】
より具体的には、被験者Ｓ１の第一の視線データＤ１と、他者（美容の素人または美容専門家）の第二の視線データＤ２とを比較することにより、美容専門家ＳＰから美容行為における重要なポイントに関する説得力のあるアドバイスを受けることができ、また被験者Ｓ１自身も、美容行為におけるポイントを分析してセルフカウンセリングをすることができる。
【００７３】
本方法によれば、提示工程Ｓ２２と視線追跡工程Ｓ２４とを含む美容ポイント分析方法が提供される。
提示工程Ｓ２２は、本方法と共通であり、頭部を含む視覚的刺激５０を被験者Ｓ１に提示する。
そして、本実施形態の美容ポイント分析方法における視線追跡工程Ｓ２４では、視覚的刺激５０を目視する被験者Ｓ１の視線に関する第一の視線データＤ１を取得し、また、視覚的刺激５０または他の視覚的刺激を目視する視線提供者の視線に関する第二の視線データＤ２を、第一の視線データＤ１と対応づけて取得する。
【００７４】
このように、第一の視線データＤ１と第二の視線データＤ２とを対応づけて取得することにより、第一の視線データＤ１と第二の視線データＤ２との相違に基づく美容アドバイスのポイントとなるデータを得ることができる。
【００７５】
＜第二実施形態＞
図４は、本実施形態の美容カウンセリングシステム１００の構成図である。
本実施形態の美容カウンセリングシステム１００は、蓄積部３０と、複数の視線取得部２０および表示部４０と、がネットワーク１１０を通じて互いに接続されている。
【００７６】
すなわち、第一実施形態の美容カウンセリングシステム１００がスタンドアローン型であるのに対して、本実施形態の美容カウンセリングシステム１００はネットワーク型である。
ネットワーク１１０としてはインターネットが例示される。
本実施形態の蓄積部３０は、ネットワーク１１０に接続された一つまたは複数のサーバ型記憶装置であり、画像蓄積部３１と視線データ蓄積部３２を備えている。
【００７７】
アドバイス装置９１〜９４は、個別にネットワーク１１０に接続されている。
アドバイス装置９１〜９４は、撮影部１２、画像提示部１０、視線取得部２０、表示部４０、ＣＰＵ７０および操作部７２を備えている。これらは、送受信部９０を介してネットワーク１１０に接続されている。
【００７８】
アドバイス装置９１〜９４は、被験者Ｓ１、Ｓ２、Ｓ３のほか、美容専門家ＳＰや著名人ＣＥに供される。
アドバイス装置９４では、画像蓄積部３１に蓄積されたサンプル画像５５（図１を参照）がネットワーク１１０および送受信部９０を介して画像提示部１０に表示される。
かかるサンプル画像５５を目視する美容専門家ＳＰや著名人ＣＥの視線データＤ２は、視線取得部２０で取得されて視線データ蓄積部３２に記憶される。
【００７９】
アドバイス装置９１〜９３はそれぞれ撮影部１２を備えている。撮影部１２が撮影した被験者Ｓ１〜Ｓ３の被験者画像は画像提示部１０で表示される。
ＣＰＵ７０は、画像蓄積部３１に記憶されたサンプル画像５５の中から、被験者Ｓ１〜Ｓ３の被験者画像との類似度の高いものを抽出し、当該サンプル画像５５に対応づけられた視線データＤ２を視線データ蓄積部３２から取得する。
【００８０】
被験者画像を目視する被験者Ｓ１〜Ｓ３の視線データＤ１は、視線取得部２０で取得され、被験者画像と重ね合わされて表示部４０で表示される。
一方、送受信部９０を通じて視線データ蓄積部３２から受信した視線データＤ２も、被験者画像と重ね合わされて表示部４０で表示される。
被験者Ｓ１〜Ｓ３は、表示部４０を目視することにより、美容専門家ＳＰや著名人ＣＥの視線データＤ２と、自らの視線データＤ１との差異を視覚的に知得することができる。
【００８１】
ここで、アドバイス装置９１〜９３は、被験者Ｓ１〜Ｓ３より取得した被験者画像および視線データＤ１を、互いに対応づけて画像蓄積部３１および視線データ蓄積部３２に送信してもよい。
本実施形態によれば、美容に関する素人である多数かつ散在する被験者の視線データＤ１を蓄積部３０に蓄積してゆくことができる。これにより、素人の視線の傾向を示す情報を統計的に取得することができ、任意の被験者に対して他の被験者の視線との傾向の差異を視覚的に示すことが可能である。
【００８２】
上記実施形態は種々の変形を許容する。
第一実施形態では、サンプル画像５５および被験者画像の髪型、髪色、化粧メイクをシミュレーション部１４で変化させることを説明したが、本発明はこれに限られない。髪型、髪色、化粧メイクに代えて、またはこれらに加えて、たとえば着衣やアクセサリーの形状やカラーを変化させたサンプル画像５５に基づく視線データＤ２を視線提供者から取得して蓄積部３０に蓄積しておくとよい。これにより、所定の衣服やアクセサリーとのバランスに鑑みて化粧メイクやヘアメイクの似合いを判断する際の被験者Ｓ１の視線データＤ１と美容専門家ＳＰや著名人ＣＥの視線データＤ２とを対照することができる。
【００８３】
また、表示部４０で第一の視線データＤ１とともに表示出力する第二の視線データＤ２は、当該被験者Ｓ１、Ｓ２、Ｓ３、・・・より過去に取得された視線データでもよい。すなわち、本方法における視線提供者は、当該被験者Ｓ１、Ｓ２、Ｓ３、・・・から見た他人（第三者）に限られず、過去の自分でもよい。
そして、過去の自分の視線データＤ２を、現在の自分の視線データＤ１とともに表示部４０で表示出力することにより、被験者Ｓ１は、似合いの判断時の着目点に関する自己の変化や成長を確認することができる。
【００８４】
また、上記実施形態では被験者Ｓ１の被験者画像を視覚的刺激５０として用いることを説明したが、本発明では被験者Ｓ１の鏡像を視覚的刺激５０としてもよい。すなわち、画像提示部１０に鏡（ミラーまたはハーフミラー）を用いて、画像提示部１０に被験者Ｓ１の頭部を映してもよい。この場合、視線取得部２０は、鏡に映る被験者Ｓ１を目視する被験者Ｓ１の視線を取得する。
一方、被験者Ｓ１の頭部に関する鏡面写真のデジタルデータを撮影部１２で取得して画像蓄積部３１に保存し、当該データに対して視線データＤ１およびＤ２を合成し、表示部４０で出力する。
このように、本実施形態においては、画像提示部１０で被験者Ｓ１に提示する視覚的刺激と、表示部４０で表示出力する視覚的刺激とは異なるものでもよい。
【００８５】
また、被験者Ｓ１から取得した第一の視線データＤ１は、上記のように画像蓄積部３１に一旦保存した上で視覚的刺激５０に合成されて表示部４０で出力してもよく、または画像蓄積部３１を介さず視線取得部２０から表示部４０に出力してもよい。後者の場合、被験者Ｓ１に対してその視線をリアルタイムで表示することができる。したがって、画像提示部１０と表示部４０とを共通のディスプレイ装置によって実現してもよい。
【００８６】
また、上記実施形態では、サンプル画像５５を複数のカテゴリに分類して画像蓄積部３１に記憶することを説明したが、本発明はこれに限られない。サンプル画像５５には複数の項目に関するスコアを付与して画像蓄積部３１に記憶してもよい。項目としては、上述のカテゴリと同様に、髪型のボリューム感の分布の特徴、顔型、顔パーツの相対位置、肌色の分類、虹彩色の分類、年齢などを用いることができる。すなわち、サンプル画像５５を各項目に関してスコア付けして、スコアデータをテーブル形式で蓄積部３０に記憶しておく。そして、撮影部１２で取得した被験者画像を同様にスコア付けし、スコアの一致度の高いサンプル画像５５をテーブル検索して抽出してもよい。
【００８７】
また、上記実施形態では、第一の視線データＤ１および第二の視線データＤ２を、目視頻度の分布図として表示出力することを例示したが、本発明はこれに限られない。たとえば、第一の視線データＤ１および第二の視線データＤ２を、目視順と各目視点での静止時間を可視化したプロット図として表示出力してもよいし、被験者Ｓ１の視線の傾向を美容専門家ＳＰや著名人ＣＥの視線の傾向と対比して、テキストメッセージまたは数値にてディスプレイ表示または印字出力してもよい。
【００８８】
＜その他の実施形態＞
上記実施形態では、被験者と視線提供者とを異なる人物とし、また被験者を被カウンセラーとして美容アドバイスを提供する場合を例に本発明を説明した。また、視覚的刺激５０としては、被験者の頭部を含む画像を用いる場合を例示した。
しかしながら、以下に例示するように被験者、視線提供者、被カウンセラーおよび視覚的刺激を種々に設定することで、それぞれ独自の効果を発揮する美容カウンセリングシステム、美容カウンセリング方法および美容ポイント分析方法が提供される。
【００８９】
（i）視線提供者は、被験者Ｓ１であってもよい。言い換えると、第二の視線データＤ２を提供する視線提供者と、第一の視線データＤ１を提供する被験者Ｓ１を同一人物としてもよい。このとき、例えば被験者Ｓ１が美容に関する素人である場合に、当該被験者Ｓ１の視線データが、視覚的刺激ごとにどのように変化するかを、被験者Ｓ１に示すことができる。
とくに、第二の視線データＤ２として、被験者Ｓ１と異なる他者の頭部を含む視覚的刺激を用いた場合には、当該被験者Ｓ１が自身および他者を見る視線データを比較して示すことができる。これにより、被験者Ｓ１の主観的な見方に客観的な修正を加え、被験者Ｓ１に気付きを与えながら、当該被験者（被カウンセラー）に対してカウンセリングを行うことができる。言い換えると、被験者Ｓ１が自身の像を主観的に見る視線と、被験者Ｓ１が他人を客観的に見る視線とを対比することで、被験者Ｓ１が自身に感じている印象が主観的なものか客観的なものであるか否かを示すことができ、また美容に関して被験者Ｓ１が抱えている悩みを分析することができる。
【００９０】
（ii）第一の視線データＤ１が、被験者Ｓ１の頭部を含む視覚的刺激に対する被験者Ｓ１の視線に関する視線データであり、第二の視線データＤ２が、他者の頭部を含む他の視覚的刺激に対する当該他者の視線に関する視線データであってもよい。
【００９１】
これにより、他者が自身を観察する視線と、被験者Ｓ１が自身を観察する視線とを比較して被験者Ｓ１（被カウンセラー）に示すことができる。この場合も、被験者Ｓ１の主観的な見方に客観的な修正を加え、被験者Ｓ１に気付きを与えながら、当該被験者Ｓ１に対してカウンセリングを行うことができる。
【００９２】
（iii）上記の（ii）の場合において、他者が美容専門家ＳＰであってもよい。すなわち、美容専門家ＳＰが自身を観察する視線と、被験者Ｓ１が自身を観察する視線とを対比して被験者Ｓ１（被カウンセラー）に示すことができる。これにより、被験者Ｓ１が美容の素人であるか専門家であるかにかかわらず、他者（美容専門家ＳＰ）による自己観察の仕方を被験者Ｓ１は学ぶことができる。
【００９３】
（iv）上記の（iii）の場合において、被カウンセラーが被験者Ｓ１と異なる人物であってもよい。すなわち、美容専門家ＳＰが自身を観察する視線と、その他人にあたる被験者Ｓ１（美容の素人または美容専門家）が自身を観察する視線と、を対比して、第三者にあたる被カウンセラーに示すことができる。これにより、被カウンセラーは、美容専門家ＳＰと素人による自身の観察時の視線の差異や、美容専門家ＳＰ同士による自身の観察時の視線の差異を学ぶことができる。
【００９４】
（v）また、被験者Ｓ１に提示する視覚的刺激が、被カウンセラーの頭部を含んでもよい。被カウンセラーと被験者Ｓ１とは、互いに同一でもよく、または相違してもよい。被カウンセラーと被験者Ｓ１とが同一であり、これと視線提供者とが相違する場合には、被験者Ｓ１に客観的な見方の重要性について気付きを与えながらカウンセリングをおこなうことができる。すなわち、第三者にあたる視線提供者が被カウンセラーを客観的に観察する視線と、被カウンセラーが自身の像を主観的に観察する視線との相違の大小を示すことで、被カウンセラーが自身を客観的に観察できているか否かを知得させることができる。
また、被カウンセラーと被験者Ｓ１と視線提供者とが互いに相違する場合には、被カウンセラーの頭部に対して複数の人間（被験者および視線提供者）がどのように視線を送るかを客観的に示すことができる。
【００９５】
（vi）また、第二の視線データＤ２は、美容行為の動画または実演に対する美容専門家ＳＰの視線に関する専門家視線データＤＳであってもよい。かかる美容行為は、当該美容専門家ＳＰが自らおこなうものでもよく、または他の美容専門家によっておこなわれるものでもよい。これにより、美容行為に対する美容専門家ＳＰの視線と、被験者Ｓ１の視線とを比較して示すことができる。すなわち、美容行為の動画または実演（いわゆるハウツー動画や実演）に対して、上級者にあたる美容専門家ＳＰの視線情報を付与することにより、被カウンセラーへの伝達力が向上する。
【００９６】
（vii）また、被験者Ｓ１に提示する視覚的刺激が、この被験者Ｓ１が知っている人物の頭部を含んでもよい。また、第二の視線データＤ２が、視線提供者の知らない人物（被験者Ｓ１が知っている人物でもよい）の頭部を含む視覚的刺激に対する、この視線提供者の視線に関する視線データであってもよい。これにより、既知の（親密な）人物の頭部に対する被験者Ｓ１の視線と、未知（初対面）の人物の頭部に対する視線提供者の視線とを比較して示すことができる。よって、親密者と初対面者それぞれに合わせて魅力を強調する美容ポイント（顔パーツ、髪など）を把握することができる。この場合、被カウンセラーは、被験者Ｓ１と同一でもよく、または相違してもよい。
【００９７】
上記実施形態は、以下の技術的思想を包含する。
（１）頭部を含む視覚的刺激を被験者に提示する提示手段と、
前記視覚的刺激を目視する前記被験者の視線に関する第一の視線データを取得する取得手段と、
前記視覚的刺激または他の視覚的刺激を目視する視線提供者の視線に関する第二の視線データを保存する蓄積手段と、
前記第一の視線データと前記第二の視線データとをともに表示出力する表示手段と、
を有する美容アドバイスシステム。
（２）前記被験者に提示される前記視覚的刺激が、前記被験者もしくは他者の頭部を含む静止画像、動画像、鏡像または美容行為の実演である（１）に記載の美容アドバイスシステム。
（３）前記被験者に提示される前記視覚的刺激が、前記被験者の静止画像または動画像であって、
前記表示手段が、第一および第二の前記視線データを、前記視覚的刺激と重ね合わせて表示出力することを特徴とする（１）に記載の美容アドバイスシステム。
（４）前記第二の視線データが、前記被験者に提示される前記視覚的刺激とは異なる他の視覚的刺激を目視する前記視線提供者の視線に関するデータであって、
前記表示手段が、前記被験者に提示される前記視覚的刺激と前記第二の視線データとを合成して表示出力することを特徴とする（１）から（３）のいずれかに記載の美容アドバイスシステム。
（５）前記表示手段が、目視頻度に関する分布図として第一および第二の前記視線データを表示出力する（１）から（４）のいずれかに記載の美容アドバイスシステム。
（６）前記蓄積手段が、頭部をそれぞれ含む複数のサンプル画像と、前記サンプル画像を個別に目視する前記視線提供者の視線に関する前記第二の視線データと、を互いに対応づけて保存している（１）から（５）のいずれかに記載の美容アドバイスシステムであって、
前記被験者に提示される前記視覚的刺激との一致度に基づいて、前記サンプル画像を前記複数より抽出する抽出手段をさらに備えるとともに、
前記表示手段が、抽出された前記サンプル画像に対応づけられた前記第二の視線データを表示出力することを特徴とする美容アドバイスシステム。
（７）前記蓄積手段と、複数の前記取得手段および前記表示手段と、がネットワークを通じて互いに接続されていることを特徴とする（１）から（６）のいずれかに記載の美容アドバイスシステム。
（８）前記第二の視線データが、美容専門家の視線に関する専門家視線データである（６）に記載の美容アドバイスシステム。
（９）前記美容専門家が、髪型または髪色に関する頭髪専門家と、化粧メイクに関する化粧専門家と、を含み、
前記専門家視線データが、前記頭髪専門家の視線に関するヘア専門家視線データと、前記化粧専門家の視線に関するメイク専門家視線データと、を含む（８）に記載の美容アドバイスシステム。
（１０）前記蓄積手段は、髪型または髪色の一方または両方を互いに変化させた複数の前記サンプル画像と、前記サンプル画像を個別に目視する前記頭髪専門家より取得された前記ヘア専門家視線データを保存し、
前記提示手段は、第一の前記視覚的刺激に続けて、髪型または髪色の一方または両方を変化させた第二の視覚的刺激を前記被験者に提示し、
前記表示手段は、前記被験者より取得した前記第一の視線データと、前記ヘア専門家視線データと、をともに表示出力する（９）に記載の美容アドバイスシステム。
（１１）前記蓄積手段は、化粧メイクを互いに変化させた複数の前記サンプル画像と、前記サンプル画像を個別に目視する前記化粧専門家より取得された前記メイク専門家視線データを保存し、
前記提示手段は、第一の前記視覚的刺激に続けて、化粧メイクを変化させた第二の視覚的刺激を前記被験者に提示し、
前記表示手段は、前記被験者より取得した前記第一の視線データと、前記メイク専門家視線データと、をともに表示出力する（９）に記載の美容アドバイスシステム。
（１２）前記第二の視線データが、著名人の視線に関する著名人視線データである（１）から（７）のいずれかに記載の美容アドバイスシステム。
（１３）被験者の視線に関する視線データを前記被験者に対して表示出力する美容アドバイス方法であって、
頭部を含む視覚的刺激を被験者に提示する工程と、
前記視覚的刺激を目視する前記被験者の視線に関する第一の視線データを取得する工程と、
前記視覚的刺激または他の視覚的刺激を目視する視線提供者の視線に関する第二の視線データと、前記第一の視線データと、を前記被験者に対してともに表示出力する工程と、
を含む美容アドバイス方法。
（１４）前記被験者に提示される前記視覚的刺激が前記被験者の頭部を含む静止画像または動画像であって、
前記第一の視線データおよび前記第二の視線データを、それぞれ前記視覚的刺激に重ね合わせて表示出力することを特徴とする（１３）に記載の美容アドバイス方法。
（１５）前記被験者に提示される前記視覚的刺激とは異なる他の視覚的刺激を目視する前記視線提供者の視線に関する前記第二の視線データを取得する工程と、
前記被験者に提示される前記視覚的刺激と前記第二の視線データとを合成する工程と、
をさらに含む（１３）または（１４）に記載の美容アドバイス方法。
【実施例】
【００９８】
以下、実施例を用いて本発明をさらに詳細に説明する。本実施例は、図１および図２に示す美容カウンセリングシステム１００を用いて、頭髪専門家ＳＰＨ、化粧専門家ＳＰＭおよび被験者Ｓ１を視線提供者として視線データＤ１、Ｄ２を取得し、かかる結果を被験者Ｓ１に提示するものである。被験者Ｓ１は美容に関する素人である。本実施例は更に、髪型の似合いを判断する際の視線提供者の視点を追跡して視線データを取得し、複数の視線データを対照して表示出力するものである。
【００９９】
（第一実施例）
図５〜図８は、視線提供者に提示される視覚的刺激５０ａ〜５０ｄをそれぞれ示す画像である。なお、図５〜図８は、視線提供者に実際に提示されたカラー画像の視覚的刺激５０ａ〜５０ｄに対して白黒二値化およびモザイク処理し、かつ、モデルの目線にあたる領域を黒色で表示している。
【０１００】
本実施例の美容カウンセリングシステム１００は、共通の視覚的刺激５０（５０ａ〜５０ｄ）を目視して髪型の似合いを判断する、頭髪専門家ＳＰＨのヘア専門家視線データＤＳＨと被験者Ｓ１の視線データＤ１とを対照可能に表示出力するものである。
【０１０１】
蓄積部３０は、髪型または髪色の一方または両方を互いに変化させた複数のサンプル画像５５と、サンプル画像５５を個別に目視する頭髪専門家ＳＰＨより取得されたヘア専門家視線データＤＳＨを保存している。
画像提示部１０は、第一の視覚的刺激５０ａに続けて、髪型または髪色の一方または両方を変化させた第二の視覚的刺激５０ｂを被験者Ｓ１に提示する。
表示部４０は、被験者Ｓ１より取得した第一の視線データＤ１と、ヘア専門家視線データＤＳＨと、をともに表示出力する（図１を参照）。
【０１０２】
より具体的には、図５〜図８に示す視覚的刺激５０ａ〜５０ｄは、共通のモデルの頭部正面を被写体とし、髪型（ヘアスタイル）のみを互いに変化させたものである。
本実施例の画像提示部１０では、第一の視覚的刺激５０ａおよび第二の視覚的刺激５０ｂに続けて、視覚的刺激５０ｃおよび視覚的刺激５０ｄをこの順に切り替えて視線提供者に提示した。
【０１０３】
そして、被験者Ｓ１の視線データＤ１の取得に先だって、視線提供者である頭髪専門家ＳＰＨよりヘア専門家視線データＤＳＨを取得した。頭髪専門家ＳＰＨは、視覚的刺激５０ａ〜５０ｄを順に目視して、各画像に示された髪型がモデルに似合っているかどうかを判断した。視線取得部２０は、かかるヘア専門家視線データＤＳＨを取得して蓄積部３０に保存した（図１を参照）。
視線取得部２０には、Ｔｏｂｉｉ社製の注視点追跡システム（アイトラッカー）を用いた。
【０１０４】
このように、髪型を変化させた視覚的刺激５０を連続的に被験者Ｓ１および視線提供者に目視させることにより、髪型の似合いを判断する際の自然な目線の動きを視線取得部２０で取得することが可能である。
【０１０５】
取得されたヘア専門家視線データＤＳＨは、それぞれ対応する視覚的刺激５０ａ〜５０ｄと画像合成して表示部４０で表示出力した。
図９〜図１２は、図５〜図８の視覚的刺激５０ａ〜５０ｄをこの順に目視した頭髪専門家ＳＰＨの目視頻度を示す分布図（暗色で図示）を、視覚的刺激５０ａ〜５０ｄ（明色で図示）にそれぞれ重ね合わせた図である。
図９〜図１２における頭部６０は、図５〜図８を白黒反転させたものである。また、図９〜図１２では、目視頻度の高い部位を濃色に図示している（図１３以降も共通である）。
すなわち、図９〜図１２は、表示部４０で表示出力されるヘア専門家視線データＤＳＨ（第二の視線データＤ２）を示している。このうち、図９に関しては、頭部６０、中心線６１および毛先６２に符号を付している。
【０１０６】
つぎに、美容カウンセリングシステム１００では、画像提示部１０にて被験者Ｓ１に対して視覚的刺激５０ａ〜５０ｄを順に提示した。被験者Ｓ１は、各画像に示された髪型がモデルに似合っているかどうかを判断した。
視線取得部２０は、かかる視線データ（第一の視線データ）Ｄ１を取得した。
そして、取得された第一の視線データＤ１は、それぞれ対応する視覚的刺激５０ａ〜５０ｄと画像合成した。
【０１０７】
図１３〜図１６は、図５〜図８の視覚的刺激５０ａ〜５０ｄをこの順に目視した被験者Ｓ１の目視頻度を示す分布図（暗色で図示）を、視覚的刺激５０ａ〜５０ｄ（明色で図示）にそれぞれ重ね合わせた図である。すなわち、図１３〜図１６は、表示部４０で表示出力される第一の視線データＤ１を示している。このうち、図１３に関しては、頭部６０、中心線６１および毛先６２に符号を付している。
【０１０８】
図９〜図１２に示すように、頭髪専門家ＳＰＨは、髪型の似合いを判断するにあたって、頭部６０の中心線６１を軸に逆卵型（上側が幅広の楕円形）に頭部６０のシルエットを目視していることがわかった。また、頭髪専門家ＳＰＨは、髪型そのものを直接見るのではなく、頭部６０のアウトラインをおぼろ気に観察していることがわかった。
そして、頭髪専門家ＳＰＨの視線は、モデルの髪型がロングヘアーである視覚的刺激５０ｄ（図８を参照）に対しては毛先６２にまで及んだものの、髪型の似合いの判断をする際の上記の傾向は、図９〜図１２を通じて共通であった。
【０１０９】
これに対し、図１３〜図１６に示すように、美容の素人である被験者Ｓ１は、目から上と毛先６２のニュアンスを主に頭部６０を観察しており、特に目の周囲を集中的に目視していることがわかった。また、被験者Ｓ１の視線は髪単体に集中しており、髪型のシルエットと顔型や顔パーツ（目、鼻等）の相対位置などとの似合いよりも、髪単体に対する嗜好によって似合いを判断していることがわかった。
そして、モデルの髪型によらず、髪型の似合いの判断をする際の被験者Ｓ１（素人）の視線に関する上記の傾向は、図１３〜図１６を通じて共通であった。
【０１１０】
表示部４０（図１を参照）では、図９と図１３、図１０と図１４、図１１と図１５、図１２と図１６を、それぞれ対にして、同時にまたは連続的に表示出力した。
これにより、被験者Ｓ１は、頭髪専門家ＳＰＨがモデルの髪型を目視する場合の着目点を、自分の着目点と対比して目視することが可能である。そして、美容に関するアドバイザーは、被験者Ｓ１とともに表示部４０を目視して、被験者Ｓ１の視線と頭髪専門家ＳＰＨの視線との違いをアドバイスすることができる。
これにより、被験者Ｓ１は、髪型の似合いを自ら判断するに際して、頭髪専門家ＳＰＨの視線に似せて、頭部６０のアウトラインを全体的に観察することができるようになる。
【０１１１】
また、本実施例の蓄積部３０は、第一の視覚的刺激５０ａおよび第二の視覚的刺激５０ｂを目視する化粧専門家ＳＰＭより取得されたメイク専門家視線データＤＳＭをさらに保存している。
本実施例の場合、メイク専門家視線データＤＳＭは、視覚的刺激５０ａ〜５０ｄに示された髪型がモデルに似合っているかどうかを判断する化粧専門家ＳＰＭの視線に関する視線データである。
ここで、化粧専門家ＳＰＭは、化粧メイクに関する専門家ではあるものの、髪型の似合いの判断に関しては被験者Ｓ１と同様に素人である。
【０１１２】
図１７〜図２０は、図５〜図８の視覚的刺激５０ａ〜５０ｄをこの順に目視した化粧専門家ＳＰＭの目視頻度を示す分布図（暗色で図示）を、視覚的刺激５０ａ〜５０ｄ（明色で図示）にそれぞれ重ね合わせた図である。このうち、図１７に関しては、頭部６０、中心線６１および毛先６２に符号を付している。
化粧専門家ＳＰＭのメイク専門家視線データＤＳＭは、髪型の似合いの判断に関する限り、美容の素人の被験者Ｓ１と大きな差はなく、目から下を主に目視しているとともに、肌と毛先６２とのニュアンスを注視していることがわかった。
【０１１３】
すなわち、図９〜図２０を対照すると、第二の視覚的刺激５０ｂに含まれる頭部６０の中心線６１近傍に対する頭髪専門家ＳＰＨの目視頻度は、中心線６１近傍に対する化粧専門家ＳＰＭおよび素人（被験者Ｓ１）の目視頻度よりも高いことがわかった。
そして、第二の視覚的刺激５０ｂに含まれる頭髪の毛先６２近傍に対する頭髪専門家ＳＰＨの目視頻度が、毛先６２近傍に対する化粧専門家ＳＰＭおよび被験者Ｓ１の目視頻度よりも低いことがわかった。
【０１１４】
このように、本実施例の美容カウンセリングシステム１００では、頭髪専門家ＳＰＨを含む複数人の視線提供者の視線データを蓄積部３０に蓄積しておき、任意で被験者Ｓ１の視線データＤ１と対照して表示部４０で表示出力することができる。視線データを蓄積する視線提供者としては、美容の素人である他の被験者としてもよい。そして、多数の被験者より視線データを取得して統計的に分析することにより、被験者Ｓ１の視線データの傾向を他の被験者の傾向と対比して表示出力してもよい。
【０１１５】
（第二実施例）
本実施例は、化粧の似合いを判断する際の視線提供者（頭髪専門家ＳＰＨ、化粧専門家ＳＰＭおよび被験者Ｓ１）の視点を追跡して視線データを取得し、複数の視線データを対照して表示出力するものである。
【０１１６】
本実施例の蓄積部３０は、化粧メイクを互いに変化させた複数のサンプル画像５５と、サンプル画像５５を個別に目視する化粧専門家ＳＰＭより取得されたメイク専門家視線データＤＳＭを保存している。
画像提示部１０は、第一の視覚的刺激５０ａに続けて、化粧メイクを変化させた第二の視覚的刺激５０ｂを被験者Ｓ１に提示する。
表示部４０は、被験者Ｓ１より取得した第一の視線データＤ１と、メイク専門家視線データＤＳＭと、をともに表示出力する（図１を参照）。
【０１１７】
本実施例をより詳細に説明する。
本実施例では、図６に示した視覚的刺激５０ｂを第一の視覚的刺激として用い、その口紅のカラーを変化させた画像を第二の視覚的刺激（図示省略）として用いた。
【０１１８】
そして、被験者Ｓ１の視線データＤ１の取得に先だって、視線提供者である化粧専門家ＳＰＭよりメイク専門家視線データＤＳＭを取得した。化粧専門家ＳＰＭは、第一および第二の視覚的刺激を順に目視して、各画像に示された口紅がモデルに似合っているかどうかを判断した。視線取得部２０は、かかるメイク専門家視線データＤＳＭを取得して蓄積部３０に保存した（図１を参照）。
このように、化粧メイクを変化させた視覚的刺激５０を連続的に被験者Ｓ１および視線提供者に目視させることにより、化粧メイクの似合いを判断する際の自然な目線の動きを視線取得部２０で取得することが可能である。
【０１１９】
取得されたメイク専門家視線データＤＳＭは、それぞれ対応する第一または第二の視覚的刺激と画像合成して表示部４０で表示出力した。
図２１〜図２２は、化粧専門家ＳＰＭの目視頻度を示す分布図（明色で図示）を、第一または第二の視覚的刺激（暗色で図示）にそれぞれ重ね合わせた図である。すなわち、図２１〜図２２は、表示部４０で表示出力されるメイク専門家視線データＤＳＭ（第二の視線データＤ２）を示している。
図２１は口紅がモデルに似合うと化粧専門家ＳＰＭが判断した場合の視線データを示し、図２２は口紅がモデルに似合わないと化粧専門家ＳＰＭが判断した場合の視線データを示している。
【０１２０】
以下、図２１、図２３および図２５に関しては、頭部６０、中心線６１および毛先６２に符号を付している。
【０１２１】
つぎに、美容カウンセリングシステム１００では、画像提示部１０にて被験者Ｓ１に対して第一および第二の視覚的刺激を順に提示した。被験者Ｓ１は、各画像に示された口紅がモデルに似合っているかどうかを判断した。
視線取得部２０は、かかる視線データ（第一の視線データ）Ｄ１を取得した。
そして、取得された第一の視線データＤ１を、それぞれ対応する視覚的刺激と画像合成した。
【０１２２】
図２３および図２４は、被験者Ｓ１の目視頻度を示す分布図（暗色で図示）を、第一または第二の視覚的刺激（明色で図示）にそれぞれ重ね合わせた図である。すなわち、図２３〜図２４は、表示部４０で表示出力される第一の視線データＤ１を示している。
図２３は口紅がモデルに似合うと被験者Ｓ１が判断した場合の視線データを示し、図２４は口紅がモデルに似合わないと被験者Ｓ１が判断した場合の視線データを示している。
【０１２３】
図２１〜図２２に示すように、化粧専門家ＳＰＭは、口紅の似合いを判断するにあたって肌色や髪色とのバランスを見ており、肌色がくすんで見えないか、または顔全体の表情が生き生きとして見えるかどうかに着目していることがわかった。また、メイク専門家視線データＤＳＭは、顔の全体から髪まで広く分散していることがわかった。
【０１２４】
これに対し、図２３〜図２４に示すように、美容の素人である被験者Ｓ１は、唇と目に視線を集めて口紅の似合いを判断していることがわかった。そして、被験者Ｓ１は、モデルの印象と自分の好みとを合わせながら、唇の色の好みと、肌色がくすんで見えないかに着目して口紅の似合いを判断していることがわかった。
【０１２５】
表示部４０（図１を参照）では、図２１と図２３、図２２と図２４を、それぞれ対にして表示出力した。
これにより、被験者Ｓ１は、化粧専門家ＳＰＭがモデルの化粧を目視する場合の着目点を、自分の着目点と対比して目視することが可能である。そして、美容に関するアドバイザーは、被験者Ｓ１とともに表示部４０を目視して、被験者Ｓ１の視線と化粧専門家ＳＰＭの視線との違いをアドバイスすることができる。
これにより、被験者Ｓ１は、髪型の似合いを自ら判断するに際して、化粧専門家ＳＰＭの視線に似せて、頭部６０を全体的に観察することができるようになる。
【０１２６】
また、本実施例の蓄積部３０は、第一の視覚的刺激および第二の視覚的刺激を目視する頭髪専門家ＳＰＨより取得されたヘア専門家視線データＤＳＨをさらに保存している。
本実施例の場合、ヘア専門家視線データＤＳＨは、第一および第二の視覚的刺激に示された髪型がモデルに似合っているかどうかを判断する頭髪専門家ＳＰＨの視線に関する視線データである。
ここで、頭髪専門家ＳＰＨは、ヘアメイクに関する専門家ではあるものの、化粧の似合いの判断に関しては被験者Ｓ１と同様に素人である。
【０１２７】
図２５および図２６は、第一および第二の視覚的刺激をこの順に目視した頭髪専門家ＳＰＨの目視頻度を示す分布図（暗色で図示）を、第一または第二の視覚的刺激（明色で図示）にそれぞれ重ね合わせた図である。
図２５は口紅がモデルに似合うと頭髪専門家ＳＰＨが判断した場合の視線データを示し、図２６は口紅がモデルに似合わないと頭髪専門家ＳＰＨが判断した場合の視線データを示している。
【０１２８】
頭髪専門家ＳＰＨのヘア専門家視線データＤＳＨは、頭部６０の中心線６１に視線を集め、唇自体はほとんど目視しておらず、唇と肌のカラーのバランスを朧気に観察していることがわかった。また、唇の色の好みと、肌色がくすんで見えないかに着目して口紅の似合いを判断していることがわかった。したがって、化粧の似合いの判断に関する限り、美容の素人の被験者Ｓ１と大きな差はないことがわかった。
【０１２９】
すなわち、本実施例の場合、第二の視覚的刺激に含まれる頭部６０に対する化粧専門家ＳＰＭの目視頻度は、頭部６０に対する頭髪専門家ＳＰＨの目視頻度よりも、頭部６０の全体に分散していることがわかった。
【０１３０】
以上の実施例により、美容カウンセリングシステム１００および本方法を用いて被験者Ｓ１に美容アドバイスを有効に行うことが可能であることが理解される。
上記の各実施形態及び各実施例の一部又は全部は、以下のようにも特定され得る。但し、各実施形態及び各実施例が以下の記載に限定されるものではない。
＜１＞頭部を含む視覚的刺激を被験者に提示する提示手段と、
前記視覚的刺激を目視する前記被験者の視線に関する第一の視線データを取得する取得手段と、
前記視覚的刺激または他の視覚的刺激を目視する視線提供者の視線に関する第二の視線データを保存する蓄積手段と、
前記第一の視線データと前記第二の視線データとを表示出力する表示手段と、
を有する美容カウンセリングシステム。
＜２＞前記被験者に提示される前記視覚的刺激が、前記被験者もしくは他者の頭部を含む静止画像、動画像、鏡像または美容行為の実演である＜１＞に記載の美容カウンセリングシステム。
＜３＞前記被験者に提示される前記視覚的刺激が、前記被験者の静止画像または動画像であって、
前記表示手段が、第一および第二の前記視線データを、前記視覚的刺激と重ね合わせて表示出力することを特徴とする＜１＞に記載の美容カウンセリングシステム。
＜４＞前記第二の視線データが、前記被験者に提示される前記視覚的刺激とは異なる他の視覚的刺激を目視する前記視線提供者の視線に関するデータであって、
前記表示手段が、前記被験者に提示される前記視覚的刺激と前記第二の視線データとを合成して表示出力することを特徴とする＜１＞から＜３＞のいずれか１つに記載の美容カウンセリングシステム。
＜５＞前記表示手段が、目視頻度に関する分布図として第一および第二の前記視線データを表示出力する＜１＞から＜４＞のいずれか１つに記載の美容カウンセリングシステム。
＜６＞前記蓄積手段が、頭部をそれぞれ含む複数のサンプル画像と、前記サンプル画像を個別に目視する前記視線提供者の視線に関する前記第二の視線データと、を互いに対応づけて保存している＜１＞から＜５＞のいずれか１つに記載の美容カウンセリングシステムであって、
前記被験者に提示される前記視覚的刺激との一致度に基づいて、前記サンプル画像を前記複数より抽出する抽出手段をさらに備えるとともに、
前記表示手段が、抽出された前記サンプル画像に対応づけられた前記第二の視線データを表示出力することを特徴とする美容カウンセリングシステム。
＜７＞前記蓄積手段と、複数の前記取得手段および前記表示手段と、がネットワークを通じて互いに接続されていることを特徴とする＜１＞から＜６＞のいずれか１つに記載の美容カウンセリングシステム。
＜８＞前記第二の視線データが、美容専門家の視線に関する専門家視線データである＜６＞に記載の美容カウンセリングシステム。
＜９＞前記美容専門家が、髪型または髪色に関する頭髪専門家と、化粧メイクに関する化粧専門家と、を含み、
前記専門家視線データが、前記頭髪専門家の視線に関するヘア専門家視線データと、前記化粧専門家の視線に関するメイク専門家視線データと、を含む＜８＞に記載の美容カウンセリングシステム。
＜１０＞前記蓄積手段は、髪型または髪色の一方または両方を互いに変化させた複数の前記サンプル画像と、前記サンプル画像を個別に目視する前記頭髪専門家より取得された前記ヘア専門家視線データを保存し、
前記提示手段は、第一の前記視覚的刺激に続けて、髪型または髪色の一方または両方を変化させた第二の視覚的刺激を前記被験者に提示し、
前記表示手段は、前記被験者より取得した前記第一の視線データと、前記ヘア専門家視線データと、をともに表示出力する＜９＞に記載の美容カウンセリングシステム。
＜１１＞前記蓄積手段は、化粧メイクを互いに変化させた複数の前記サンプル画像と、前記サンプル画像を個別に目視する前記化粧専門家より取得された前記メイク専門家視線データを保存し、
前記提示手段は、第一の前記視覚的刺激に続けて、化粧メイクを変化させた第二の視覚的刺激を前記被験者に提示し、
前記表示手段は、前記被験者より取得した前記第一の視線データと、前記メイク専門家視線データと、をともに表示出力する＜９＞に記載の美容カウンセリングシステム。
＜１２＞前記第二の視線データが、著名人の視線に関する著名人視線データである＜１＞から＜７＞のいずれか１つに記載の美容カウンセリングシステム。
＜１３＞頭部を含む視覚的刺激を被験者に提示する工程と、
前記視覚的刺激を目視する前記被験者の視線に関する第一の視線データを取得する工程と、
前記視覚的刺激または他の視覚的刺激を目視する視線提供者の視線に関する第二の視線データと、前記第一の視線データと、を表示出力する工程と、
を含む美容カウンセリング方法。
＜１４＞前記第一の視線データと前記第二の視線データとを前記被験者に対してともに表示出力する＜１３＞に記載の美容カウンセリング方法。
＜１５＞前記視線提供者が前記被験者である＜１３＞または＜１４＞に記載の美容カウンセリング方法。
＜１６＞前記第一の視線データが、前記被験者の頭部を含む前記視覚的刺激に対する前記被験者の視線に関する視線データであり、
前記第二の視線データが、他者の頭部を含む前記他の視覚的刺激に対する前記他者の視線に関する視線データである＜１３＞または＜１４＞に記載の美容カウンセリング方法。
＜１７＞前記他者が美容専門家である＜１６＞に記載の美容カウンセリング方法。
＜１８＞表示出力された前記第一の視線データと前記第二の視線データとの相違に基づく美容アドバイスを被カウンセラーに提供する工程をさらに含む＜１３＞から＜１７＞のいずれか１つに記載の美容カウンセリング方法。
＜１９＞前記被カウンセラーが、前記被験者と異なる人物である＜１８＞に記載の美容カウンセリング方法。
＜２０＞前記視覚的刺激が、前記被カウンセラーの頭部を含む＜１８＞または＜１９＞に記載の美容カウンセリング方法。
＜２１＞前記第二の視線データが、美容行為の動画または実演に対する美容専門家の視線に関する専門家視線データである＜１３＞から＜１５＞のいずれか１つに記載の美容カウンセリング方法。
＜２２＞前記第一の視線データおよび前記第二の視線データを、それぞれ前記視覚的刺激に重ね合わせて表示出力することを特徴とする＜１３＞から＜２１＞のいずれか１つに記載の美容カウンセリング方法。
＜２３＞頭部を含む視覚的刺激を被験者に提示する工程と、
前記視覚的刺激を目視する前記被験者の視線に関する第一の視線データを取得する工程と、
前記視覚的刺激または他の視覚的刺激を目視する視線提供者の視線に関する第二の視線データを、前記第一の視線データと対応づけて取得する工程と、
を含む美容ポイント分析方法。
＜２４＞前記視覚的刺激が、前記被験者が知る人物の頭部を含み、
第二の視線データが、前記視線提供者が知らない人物の頭部を含む視覚的刺激に対する前記視線提供者の視線に関する視線データである＜２３＞に記載の美容ポイント分析方法。
【符号の説明】
【０１３１】
１０    画像提示部
１２    撮影部
１４    シミュレーション部
２０    視線取得部
３０    蓄積部
３１    画像蓄積部
３２    視線データ蓄積部
４０    表示部
５０    視覚的刺激
５５    サンプル画像
６０    頭部
６１    中心線
６２    毛先
７０    ＣＰＵ
７２    操作部
７４    抽出部
７６    画像調整部
８０    バスライン
９０    送受信部
９１〜９４    アドバイス装置
１００    美容カウンセリングシステム
１１０    ネットワーク
ＣＥ    著名人
Ｄ１、Ｄ２    視線データ
ＤＣ    著名人視線データ
ＤＳ    専門家視線データ
ＤＳＨ    ヘア専門家視線データ
ＤＳＭ    メイク専門家視線データ
ＳＰ    美容専門家
ＳＰＨ    頭髪専門家
ＳＰＭ    化粧専門家
Ｓ１〜Ｓ３    被験者
【図１】
0005503432.tif 000002
【図２】
0005503432.tif 000003
【図３】
0005503432.tif 000004
【図４】
0005503432.tif 000005
【図５】
0005503432.tif 000006
【図６】
0005503432.tif 000007
【図７】
0005503432.tif 000008
【図８】
0005503432.tif 000009
【図９】
0005503432.tif 000010
【図１０】
0005503432.tif 000011
【図１１】
0005503432.tif 000012
【図１２】
0005503432.tif 000013
【図１３】
0005503432.tif 000014
【図１４】
0005503432.tif 000015
【図１５】
0005503432.tif 000016
【図１６】
0005503432.tif 000017
【図１７】
0005503432.tif 000018
【図１８】
0005503432.tif 000019
【図１９】
0005503432.tif 000020
【図２０】
0005503432.tif 000021
【図２１】
0005503432.tif 000022
【図２２】
0005503432.tif 000023
【図２３】
0005503432.tif 000024
【図２４】
0005503432.tif 000025
【図２５】
0005503432.tif 000026
【図２６】
0005503432.tif 000027